(57)【要約】      （修正有）【課題】公園の利用者等が歩行運動を安全、確実、容易かつ効果的に行うことができ、さらに、省スペースでも設置することのできる歩行支援器具を提供する。【解決手段】手摺１２１、１２２Ａ、１２２Ｂ、１２３、１２４Ａ、１２４Ｂを利用した、歩行路１１１を周回して歩行させることのできる歩行支援器具１１０であって、手摺１２１、１２２Ａ、１２２Ｂ、１２３、１２４Ａ、１２４Ｂを固定するための支柱１２５と、歩行路１１１の内周及び外周に沿って設置され、歩行する際に利用する手摺１２１、１２２Ａ、１２２Ｂ、１２３、１２４Ａ、１２４Ｂとを備えるようにした。さらに、歩行路１１１が一定の領域ごとに区分けされていることを識別可能な識別手段を備えるようにした。【選択図】図１
0003113834.tif 000002
【実用新案登録請求の範囲】
【請求項１】
手摺を利用した、歩行路を周回して歩行させることのできる歩行支援器具であって、
前記手摺を固定する支柱と、
前記歩行路の内周及び外周に沿って設置され、歩行する際に利用する手摺と、
前記歩行路が一定の領域ごとに区分けされていることを識別可能な識別手段と、
を備えることを特徴とする歩行支援器具。
【請求項２】
前記識別手段は、前記歩行路又は前記手摺を複数の色で色分けしたものであることを特徴とする請求項１に記載の歩行支援器具。
【請求項３】
前記識別手段として、前記領域ごとに指定されている歩行運動の運動内容を図示により指示する表示が、前記歩行路に形成されていることを特徴とする請求項１又は２のいずれか１つに記載の歩行支援器具。
【請求項４】
前記歩行路は、渦巻形状であることを特徴とする請求項１乃至３のいずれか１つに記載の歩行支援器具。
【請求項５】
前記歩行路は、環状であることを特徴とする請求項１乃至４のいずれか１つに記載の歩行支援器具。
【請求項６】
前記手摺は、前記歩行路の外周に沿って断続的に設置されることを特徴とする請求項１乃至５のいずれか１つに記載の歩行支援器具。
【請求項７】
前記手摺は、前記歩行路の内周及び外周に沿って断続的に設置されることを特徴とする請求項１乃至６のいずれか１つに記載の歩行支援器具。
【請求項８】
前記支柱の一端が、前記歩行路の内周側の地面に固定されるとともに、他端が、前記歩行路の上方において該歩行路の幅方向に前記歩行路を横断しながら、折り返されることで、前記支柱の全体がアーチ形状となっており、
前記支柱の他端近傍に外周側の前記手摺が固定されていることを特徴とする請求項１乃至７のいずれか１つに記載の歩行支援器具。
【請求項９】
前記手摺の少なくとも一部は、前記歩行路に沿って湾曲又は屈曲していることを特徴とする請求項１乃至８のいずれか１つに記載の歩行支援器具。
【請求項１０】
前記手摺は、前記歩行路の幅方向へ、交互に屈曲していることを特徴とする請求項１乃至９のいずれか１つに記載の歩行支援器具。
【請求項１１】
前記支柱の間にネットを設けたことを特徴とする請求項１乃至１０のいずれか１つに記載の歩行支援器具。
【請求項１２】
前記歩行路によって囲まれる広場を備えることを特徴とする請求項１乃至１１のいずれか１つに記載の歩行支援器具。
【請求項１３】
前記領域ごとに指定されている歩行運動の運動内容を指導する看板を備えることを特徴とする請求項１乃至１２のいずれか１つに記載の歩行支援器具。
【請求項１４】
前記看板が、前記手摺を固定する前記支柱によって保持されていることを特徴とする請求項１３に記載の歩行支援器具。
【請求項１５】
前記歩行路には、スロープ又は段差が形成されていることを特徴とする請求項１乃至１４のいずれか１つに記載の歩行支援器具。
【考案の詳細な説明】
【技術分野】
【０００１】
本考案は、公園等に設置される歩行支援器具に関するものである。特に、歩行により日々の健康増進を図ることを目的とする公園利用者等のための歩行支援器具に関するものである。
【背景技術】
【０００２】
従来、公園に設置されていた施設等は子供を対象としていた。このため、公園等の屋外で歩行運動を行いたいと希望する大人の利用者は、これら既存の施設等を代用しなければならなかった。
【考案の開示】
【考案が解決しようとする課題】
【０００３】
しかし、大人がこれらの既存の施設等を利用して歩行運動等を行う場合には、無理な姿勢を強いられる等のために十分な健康増進効果が得られないという問題があった。また、本来の利用目的とは異なる目的外の利用をしなければならないので、安全上転倒等の危険を伴うという問題があった。
【０００４】
今後、特に首都圏等の人口密集地では、さらなる高齢者人口の増加が予想されている。これらの人口密集地域では公園等のために広いスペースを確保することは様々な理由から困難になってきている。さらに、大都市圏等のこれらの地域では地価高騰のために、十分な広さの庭等のスペースを備える老人ホーム等の施設の建設が、コスト的な面からも難しくなってきている。そのため、老人ホーム等に入所している高齢者等の健康増進等を図り難いという問題もあった。
【０００５】
また、近年では、車の運転等で長時間同じ姿勢をとり続けることで、いわゆるエコノミークラス症候群（深部静脈血栓症）が引き起こされ、それが重大な交通事故等の１つの原因であるとの指摘もなされている。
【０００６】
本考案は、上記の課題を解決するためになされたものであり、公園の利用者等が歩行運動を安全、確実、容易かつ効果的に行うことができ、さらに、省スペースでも設置することのできる歩行支援器具を提供することである。
【課題を解決するための手段】
【０００７】
上記目的を解決するために以下の構成とした。
【０００８】
（１）手摺を利用した、歩行路を周回して歩行させることのできる歩行支援器具であって、前記手摺を固定する支柱と、前記歩行路の内周及び外周に沿って設置され、歩行する際に利用する手摺と、前記歩行路が一定の領域ごとに区分けされていることを識別可能な識別手段と、を備えることを特徴とする歩行支援器具とした。
【０００９】
（２）前記識別手段は、前記歩行路又は前記手摺を複数の色で色分けしたものであることを特徴とする（１）に記載の歩行支援器具とした。
【００１０】
（３）前記識別手段として、前記領域ごとに指定されている歩行運動の運動内容を図示により指示する表示が、前記歩行路に形成されていることを特徴とする（１）又は（２）のいずれか１つに記載の歩行支援器具とした。
【００１１】
（４）前記歩行路は、渦巻形状であることを特徴とする（１）乃至（３）のいずれか１つに記載の歩行支援器具とした。
【００１２】
（５）前記歩行路は、環状であることを特徴とする（１）乃至（４）のいずれか１つに記載の歩行支援器具とした。
【００１３】
（６）前記手摺は、前記歩行路の外周に沿って断続的に設置されることを特徴とする（１）乃至（５）のいずれか１つに記載の歩行支援器具とした。
【００１４】
（７）前記手摺は、前記歩行路の内周及び外周に沿って断続的に設置されることを特徴とする（１）乃至（６）のいずれか１つに記載の歩行支援器具とした。
【００１５】
（８）前記支柱の一端が、前記歩行路の内周側の地面に固定されるとともに、他端が、前記歩行路の上方において該歩行路の幅方向に前記歩行路を横断しながら、折り返されることで、前記支柱の全体がアーチ形状となっており、前記支柱の他端近傍に外周側の前記手摺が固定されていることを特徴とする（１）乃至（７）のいずれか１つに記載の歩行支援器具とした。
【００１６】
（９）前記手摺の少なくとも一部は、前記歩行路に沿って湾曲又は屈曲していることを特徴とする（１）乃至（８）のいずれか１つに記載の歩行支援器具とした。
【００１７】
（１０）前記手摺は、前記歩行路の幅方向へ、交互に屈曲していることを特徴とする（１）乃至（９）のいずれか１つに記載の歩行支援器具とした。
【００１８】
（１１）前記支柱の間にネットを設けたことを特徴とする（１）乃至（１０）のいずれか１つに記載の歩行支援器具とした。
【００１９】
（１２）前記歩行路によって囲まれる広場を備えることを特徴とする（１）乃至（１１）のいずれか１つに記載の歩行支援器具とした。
【００２０】
（１３）前記領域ごとに指定されている歩行運動の運動内容を指導する看板を備えることを特徴とする（１）乃至（１２）のいずれか１つに記載の歩行支援器具とした。
【００２１】
（１４）前記看板が、前記手摺を固定する前記支柱によって保持されていることを特徴とする（１３）に記載の歩行支援器具とした。
【００２２】
（１５）前記歩行路には、スロープ又は段差が形成されていることを特徴とする（１）乃至（１４）のいずれか１つに記載の歩行支援器具とした。
【考案の効果】
【００２３】
本考案による歩行支援器具によれば、看板等に表示された使用方法に従えば、歩行路上を周回して歩行しながら、安全、確実、容易かつ効果的に歩行運動を行うことができる。特に、歩行路に沿って真っ直ぐに歩行する歩行運動だけでなく、歩行路をジグザグに進むような歩行運動も可能である。
【考案を実施するための最良の形態】
【００２４】
本考案の実施例を、図面を参照して詳細に説明する。
【００２５】
図１は、第１実施例に関する歩行支援器具１１０の斜視図である。歩行支援器具１１０は、歩行路１１１、手摺１２１、１２２Ａ、１２２Ｂ、１２３、１２４Ａ、１２４Ｂ、これら手摺を固定するための支柱１２５、ネット１１４、広場１１５、看板１１６を備えている。
【００２６】
歩行路１１１は帯状となっており、一定の領域ごとに区分けされている。歩行路１１１には、この区分けされた領域を識別可能な識別手段が備えられている。さらに、この歩行路１１１には、一定の領域ごとに指定されている歩行運動の運動内容を図示により指示する表示１１３も備えられている。
【００２７】
歩行路１１１は渦巻形状となっている。ここで渦巻形状とは、外側から内側へ向かって順次曲率半径が減少していくような曲線形状である。本実施例において、歩行路１１１は帯状となっており、その帯の外周及び内周の曲率半径が順次同じ割合で減少しながら内側へと向かっていく形状となっている。
【００２８】
手摺１２１、１２３は、支柱１２５に固定されている。すなわち、歩行路１１１の外周側に設置される手摺１２１、１２３は、歩行路１１１の外周側の地面に設置された複数の支柱１２５の間に設置されており、同様に、歩行路１１１の内周側に設置される手摺１２１、１２３は歩行路１１１の内周側の地面に設置された複数の支柱１２５の間に設置されている。手摺１２２Ａ、１２２Ｂ、１２４Ａ、１２４Ｂについては、図２以下で詳述する。
【００２９】
これらの手摺１２１、１２２Ａ、１２２Ｂ、１２３、１２４Ａ、１２４Ｂは、歩行路１１１の内周及び外周に沿って間隔を置いて断続的に配置されている。
【００３０】
歩行路１１１には区分けされた領域を識別するための識別手段が設けられており、本実施例では、区分けされた歩行路１１１のそれぞれに異なる色を着色してこれを実現している。ただし、着色の様子は図が煩雑になるので省略している。この着色された色の違いにより、利用者はある領域の範囲がどこまでかを確実に認識することが可能となる。
【００３１】
歩行路１１１の各領域の端部にある入口部分には、利用者が歩行運動の運動内容を端的に理解できるような表示１１３が歩行路１１１に描かれている。この表示１１３として、利用者が歩行運動する際の足の運び方を足型の図形等を用いて表したものが歩行路１１１に描かれている。利用者は、この表示１１３を見れば、各領域でどのような歩行運動を行えばよいのかを直感的に理解することができる。この足型や文字等の表示１１３は、歩行路１１１を形成した後に着色することで描くようにしてもよく、又、歩行路１１１を形成する素材自体の色彩を、足型や文字領域と他の領域との間で異ならせることで、描くようにしてもよい。
【００３２】
上述の表示１１３の他に、歩行路１１１の各領域の入口部分には看板１１６が設置されている。この看板１１６には、表示１１３のみでは伝達しきれないより詳しい指導情報及びその他の様々な情報が掲示されている。例えば、歩行支援器具１１０を使用する際の注意事項や歩行支援器具１１０を用いたストレッチ方法などである。また、食事やダイエット等に関する日々の健康情報等を掲示し、一定の期間毎に内容を更新することも可能である。なお、本実施例では、看板１１６が独立した支柱によって保持されているが、手摺１２１、１２２Ａ、１２２Ｂ、１２３、１２４Ａ、１２４Ｂの支柱１２５と兼ねるようにすることが望ましい。
【００３３】
歩行路１１１の最内周に沿って設置されている支柱１２５それぞれの間には、ネット１１４が設けられている。このネット１１４は広場１１５の外周を囲むように設置されていることになる。この広場１１５では、利用者が歩行運動以外の運動等を行うことができる。具体的には、ボール等を用いた運動及び体操等である。ボール等を使用した際、ボールが誤って広場１１５の外部に転がり出ることがないようになっている。また、広場１１５の外部からの他の利用者の誤侵入や猫等の小動物の侵入も防止することができる。さらに、歩行路１１１の広場１１５に最も近い端部には、広場への入退場のための開閉自在の柵１１７が設けられている。開閉自在の柵１１７を設けたことで、広場１１５の外部からもたらされる不測の事態を未然に防止できる。同時に、広場１１５の内部から外部へボール等が転がり出ることを予防できるので、歩行路１１１を歩行している利用者や広場１１５の利用者は安心、安全、確実に運動等を行うことが可能となる。
【００３４】
図２は、歩行路１１１の外周側に位置する外周の手摺１２２Ａ及び、歩行路１１１の内周側に位置する内周の手摺１２２Ｂの斜視図である。支柱１２５の一端１２５Ｂは歩行路１１１の内周側の地面に固定されている。他端１２５Ａは、歩行路１１１の上方を歩行路１１１の幅方向に横断している。さらに、この他端１２５Ａは歩行路１１１の上方の外周側で折り返されている。これにより支柱１２５の全体の形状はアーチ形状となっている。この支柱１２５の他端１２５Ａの近傍には外周の手摺１２２Ａが固定されている。歩行路１１１の内周側には内周の手摺１２２Ｂが支柱１２５に固定されている。
【００３５】
図３は、手摺１２２Ａ、１２２Ｂの上面図である。図のように、手摺１２２Ａ、１２２Ｂは湾曲又は屈曲しており、歩行路１１１の外周及び内周に沿うように配置されている。
【００３６】
図４は、外周の手摺１２４Ａ及び、内周の手摺１２４Ｂの斜視図である。手摺１２４Ａ、１２４Ｂの固定位置は図３の手摺１２２Ａ、１２２Ｂと同様であるので説明は省略する。手摺１２４Ａ、１２４Ｂの形状は、歩行路１１１の幅方向へと交互に屈曲している形状となっている。
【００３７】
図５は、手摺１２４Ａ、１２４Ｂの上面図である。歩行路１１１の外周側及び内周側に位置する手摺１２４Ａ、１２４Ｂのそれぞれを歩行路１１１の幅方向に交互に屈曲させることにより、鋸刃のようなジグザグの形状としている。これらの手摺１２４Ａ、１２４Ｂを歩行路１１１の両側、つまり歩行路１１１の外周側及び内周側に並列に配置するとジグザグ形状の通路が得られる。利用者はこれらの手摺１２４Ａ、１２４Ｂの間を歩行するだけで、ジグザグ歩行を行うことが可能となる。
【００３８】
以上の構成をとると、歩行支援器具１１０には様々な種類の手摺を同時に設置することができるので、複数の歩行運動を単一の器具で行うことが可能となる。そして、歩行運動を主目的として設計しているので、無理な姿勢等をとらずに済み、転倒等の危険もなく安全であり、確実な効果も得られる。さらに、歩行路１１１は渦巻状の形状としているので、利用者は繰り返し本実施例の歩行支援器具１１０を利用することで、無理なく十分な距離の歩行運動を行うことが可能となる。
【００３９】
次に、図６を参照して第２実施例に関わる歩行支援器具２１０について説明する。なお、これ以降の歩行支援器具２１０の説明では、第１実施例の歩行支援器具１１０と同様な構成となる部分及び部材については下２桁を同一符号として統一し、重複する説明は省略している。
【００４０】
図６は、歩行支援器具２１０の斜視図である。歩行路２１１は環状の形状となっている。ここで、環状とは円や多角形のようにその円周や辺が略閉じているものを指す。図示のように歩行路２１１は帯状となっており、この帯状の歩行路２１１は閉じた形状となっている。第２実施例に関わる歩行支援器具２１０においても、その基本的な構成要素は第１実施例と同様である。第１実施例の歩行支援器具１１０との差異は歩行路２１０が渦巻形状ではなく環状の形状となっていることである。
【００４１】
本実施例では、支柱２２５としては、アーチ形状となっている支柱２２５のみを使用している。
【００４２】
以上のように、歩行路２１１を環状の形状としたことで、利用者は歩行支援器具２１０を周回しながら歩行運動を連続的に行うことが可能となる。これにより利用者の体力に合わせた十分な歩行距離を確保することが可能となるので、非常に効果的な歩行運動ができる。さらに、このような環状の形状とすることで省スペースでも設置が可能となる。
【００４３】
特に、運動のための十分な広さの庭等のスペースを確保することが困難な老人ホーム等であれば、本考案の歩行支援器具を設置することは効果的である。
【００４４】
なお、本実施例として示した歩行支援器具１１０、２１０は、高速道路等のサービスエリアにも設置することが可能である。これを利用して歩行運動等を行えば、長時間同じ姿勢で運転し続けることによる、いわゆるエコノミークラス症候群や、疲労等による居眠り運転等の防止にも非常に効果的である。
【００４５】
また本実施例で示した歩行支援器具１１０、２１０は、歩行路１１１、２１１が平坦な場合に限って示したが、本考案はそれに限定されず、例えば歩行路１１１、２１１の途中に、緩やかなスロープや、階段等の段差を積極的に設けることも好ましい。このようにすると、傾斜や段差等の障害を越えることによって、足腰を一層鍛えることが可能になる。
【００４６】
最後に、本考案の歩行支援器具は、上述した実施の形態に限定されるものではなく、本考案の要旨を逸脱しない範囲において種々変更を加え得ることは勿論である。
【産業上の利用可能性】
【００４７】
本考案によれば、利用者にとって安全で確実な歩行運動を容易、効果的に行うことが可能となり、さらに、狭い土地スペースでも設置可能な歩行支援器具が提供される。
【図面の簡単な説明】
【００４８】
【図１】第１実施例に関する歩行支援器具の斜視図
【図２】支柱がアーチ形状であり歩行路に沿って配置された手摺の斜視図
【図３】同手摺の上面図
【図４】支柱がアーチ形状であり歩行路の幅方向へ交互に屈曲した手摺の斜視図
【図５】同手摺の上面図
【図６】第２実施例に関する歩行支援器具の斜視図
【符号の説明】
【００４９】
１１０    歩行支援器具
１１１    歩行路
１１３    表示
１１４    ネット
１１５    広場
１１６    看板
１１７    柵
１２１    手摺
１２２Ａ  外周の手摺
１２２Ｂ  内周の手摺
１２３    手摺
１２４Ａ  外周の手摺
１２４Ｂ  内周の手摺
１２５    支柱
１２５Ａ  他端
１２５Ｂ  一端
２１０    歩行支援器具
２１１    歩行路
２１３    表示
２１４    ネット
２１５    広場
２１６    柵
２２３Ａ  外周の手摺
２２３Ｂ  内周の手摺
２２４Ａ  外周の手摺
２２４Ｂ  内周の手摺
２２５    支柱
【図１】
0003113834.tif 000003
【図２】
0003113834.tif 000004
【図３】
0003113834.tif 000005
【図４】
0003113834.tif 000006
【図５】
0003113834.tif 000007
【図６】
0003113834.tif 000008